(57)【特許請求の範囲】
【請求項１】
ユニット式建物の内部に配管類を挿通するために、当該ユニット式建物を上下方向に貫通して設けられるユニット式建物の配管類スペースであって、
前記ユニット式建物を構成する建物ユニットのうち、水平に並設される建物ユニットの対向位置には、前記配管類の挿通方向に沿って延び、かつ当該建物ユニット同士の対向側面に開口した凹み部が、予め工場において前記開口部以外の前記挿通方向に沿った三面を囲む二枚の間仕切り面材および一枚の外壁面材で、前記建物ユニットを構成する柱を囲んで形成されており、
建設現場で前記凹み部の開口部同士を突き合わせて前記建物ユニットが接合された状態において、前記配管類の挿通方向と交差する断面が前記並設される建物ユニット間にまたがって形成されていることを特徴とするユニット式建物の配管類スペース。
【請求項２】
複数の建物ユニットにより構成されるユニット式建物の内部に配管類を挿通するために、当該ユニット式建物を上下方向に貫通して設けられる配管類スペースを形成するユニット式建物の配管類スペースの形成方法であって、
予め工場において、前記ユニット式建物を構成する建物ユニットのうち、水平に並設される建物ユニットの対向位置には、前記配管類の挿通方向に沿って延び、かつ当該建物ユニット同士の対向側面に開口した凹み部を、前記開口部以外の前記挿通方向に沿った三面を囲む二枚の間仕切り面材および一枚の外壁面材で、前記建物ユニットを構成する柱を囲んで形成しておき、
建設現場において、前記建物ユニットの接合時に前記凹み部の開口部同士を互いに突き合わせて筒状の配管類スペースを形成することを特徴とするユニット式建物の配管類スペースの形成方法。
【発明の詳細な説明】
【０００１】
【産業上の利用分野】
本発明はユニット式建物の配管類スペース、詳しくは、パイプ、ダクトおよび電線等の配管類を挿通させるスペースをユニット式建物の内部に設ける際に利用できる。
【０００２】
【背景技術】
従来より、建物の所定部分にパイプシャフトやケーブルシャフト等の配管類スペースを設け、この配管類スペースの中にパイプ、ダクトおよび電線等の配管類を挿通している。
このような配管類スペースは、予め工場等で製造した建物ユニットを建築現場で組立てて建築するユニット式建物にも設けられる。
ユニット式建物においては、建物ユニットの内装作業の際に、配管類の挿通部分の四方を間仕切り材等で閉鎖した配管類スペースを建物ユニットに設けておくとともに、塞ぐのが容易な小さな開口を間仕切り材に開けておく。そして、配管作業の際に、前記開口を通して配管スペース内に配管類を備え付け、配管作業の完了後に、前記開口を間仕切り材と同様の面材で塞いでいる。
【０００３】
【発明が解決しようとする課題】
しかしながら、従来の配管類スペースでは、配管作業用の開口が小さいので、配管作業がしにくく、作業効率が悪いという問題がある。
この問題を解決するために、前記開口を大きくすることが考えられるが、作業用の開口を大きくすると、配管作業自体は容易となるが、前記開口を塞ぐ面材が大きくなり、その取扱等が面倒となる。このため、開口を塞ぐ作業に手間がかかるようになり、建物ユニットの製造作業全体の効率を向上できないという問題が生じる。
【０００４】
本発明の目的は、配管作業が容易に行え、建物ユニットの製造作業の効率が向上されるユニット式建物の配管類スペースおよびその形成方法を提供することにある。
【０００５】
【課題を解決するための手段】
本発明の第１発明は、ユニット式建物の内部に配管類を挿通するために、当該ユニット式建物を上下方向に貫通して設けられるユニット式建物の配管類スペースであって、前記ユニット式建物を構成する建物ユニットのうち、水平に並設される建物ユニットの対向位置には、前記配管類の挿通方向に沿って延び、かつ当該建物ユニット同士の対向側面に開口した凹み部が、予め工場において前記開口部以外の前記挿通方向に沿った三面を囲む二枚の間仕切り面材および一枚の外壁面材で、前記建物ユニットを構成する柱を囲んで形成されており、建設現場において前記凹み部の開口部同士を突き合わせて前記建物ユニットを接合された状態において、前記配管類の挿通方向と交差する断面が前記並設される建物ユニット間にまたがって形成されていることを特徴とする。
【０００６】
本発明の第２発明は、複数の建物ユニットにより構成されるユニット式建物の内部に配管類を挿通するために、当該ユニット式建物を上下方向に貫通して設けられる配管類スペースを形成するユニット式建物の配管類スペースの形成方法であって、予め工場において、前記ユニット式建物を構成する建物ユニットのうち、水平に並設される建物ユニットの対向位置には、前記配管類の挿通方向に沿って延び、かつ当該建物ユニット同士の対向側面に開口した凹み部を、前記開口部以外の前記挿通方向に沿った三面を囲む二枚の間仕切り面材および一枚の外壁面材で、前記建物ユニットを構成する柱を囲んで形成しておき、建設現場において、前記建物ユニットの接合時に前記凹み部の開口部同士を互いに突き合わせて筒状の配管類スペースを形成することを特徴とする。
【０００７】
【作用】
このような本発明では、配管類スペースを二つ以上の建物ユニットにまたがって形成するので、換言すれば、配管類スペースを相互に接合される建物ユニットの対向部分に凹み部として形成するので、建物ユニットの接合前においては、各建物ユニットに形成された配管類スペースは、配管類の挿通方向の全長にわたって開いた開口部を有するものとなる。
この開口部は、建物ユニットを相互に接合すると自動的に塞がれるので、建物ユニットの製造作業の効率を阻害しないうえ、その大きさが上述のように配管類の挿通方向の全長にわたるので、作業を行う上で充分な大きさとなる。
従って、この開口を利用して配管作業を行えば、作業が容易に行えるようになり、建物ユニットの作業効率が向上され、これにより前記目的が達成される。
【０００８】
【実施例】
以下、本発明の一実施例を図面に基づいて説明する。
図１には、ユニット式建物の建築現場において、本実施例の建物ユニット１，２が相互に接合された状態で示されている。これらの建物ユニット１，２は、両方とも柱３および梁４等の軸組材からなる六面体状の骨組み５を有するものである。
建物ユニット１，２の各骨組み５には、建物の床を構成する床面材６や、建物の外壁となる外壁面材７およびコーナー外壁材８等が取付けられている。
建物ユニット１，２の内部には、これらの建物ユニット１，２にまたがってトイレ１０と、パイプシャフト２０とが設けられている。
【０００９】
トイレ１０は、便器１１の図中左右および図中下方をそれぞれ間仕切り材１２および間仕切り面材１３で囲った空間である。トイレ１０の便器１１の図中上方は、出入口とされ、この出入口には開閉自在なドア１４が設けられている。
間仕切り材１２および間仕切り面材１３は、ともに建物の内装の一部となる内装材である。
このうち間仕切り材１２は、下地となる縦桟材１２Ａ  および横桟材１２Ｂ  の両側に面材１２Ｃ  および面材１２Ｄ  を張り付けたものである。これらのうちトイレ１０の外側に配置される面材１２Ｃ  は、建物ユニット１，２の外壁面材７側に延びる延長部１２Ｅ  を有している。
一方、間仕切り面材１３は、建物ユニット１側に配置される面材１３Ａ  と、建物ユニット２側に配置される面材１３Ｂ  とに分割されたものである。これらの面材１３Ａ，１３Ｂおよび前記面材１２Ｃ  の延長部１２Ｅ  の裏面には、撓み防止のめに縦桟材１４等の下地材が設けられている。
パイプシャフト２０は、間仕切り面材１３、面材１２Ｃ  の延長部１２Ｅ  および建物ユニット１，  ２の外壁面材７で囲った空間であり、内部に水道管やガス管等の配管類１５が挿通されている。
このパイプシャフト２０は、建物ユニット１，２が接合される前には、建物ユニット１，２の各々に分割され、各建物ユニット１，２の対向部分に配管類１５の挿通方向に沿った凹み部を形成するようになっている。
【００１０】
このような本実施例では、工場において、柱３および梁４等の軸組材を接合して形成した骨組み５に床面材６、外壁面材７およびコーナー外壁材８等を取付けた後、間仕切り材１２および間仕切り面材１３等の内装材を建物ユニット１，２の内部に張り付ける内装作業を行う。この内装作業により、各建物ユニット１，２に分割された状態のトイレ１０およびパイプシャフト２０が形成される。
ここで、内装作業が完了すると、図２に示されるように、建物ユニット１，２内のパイプシャフト２０は、配管類１５の挿通方向の全長にわたって開いた開口部２１Ａ，  ２１Ｂを有する凹み部分２０Ａ，  ２０Ｂに分割された半完成状態となっている。
これらの凹み部２０Ａ，  ２０Ｂの開口部２１Ａ，  ２１Ｂを利用してパイプシャフト２０内に配管類１５を備え付ける配管作業を行う。
工場で建物ユニット１，２が完成したら、建物ユニット１，２を建築現場に運び、これらを相互に接合して、建物ユニット１，２に分割されていたトイレ１０およびパイプシャフト２０を合体させる。この後、トイレ１０の壁面となる面材１３Ａ，  １３Ｂの間の継目を壁紙等の仕上げ材で塞いでトイレ１０の内装を完成する。
【００１１】
前述のような本実施例によれば、次のような効果がある。
すなわち、パイプシャフト２０を二つの建物ユニット１，２にまたがって設定し、建物ユニット１，２の接合前には配管類１５の挿通方向の全長にわたって開いた開口部２１Ａ，  ２１Ｂを有する凹み部２０Ａ，  ２０Ｂを建物ユニット１，２の各々に設け、この開口部２１Ａ，  ２１Ｂを利用して配管作業を行うようにしたので、配管作業を容易とできる。
【００１２】
また、建築現場では、建物ユニット１，２の相互接合により開口部２１Ａ，  ２１Ｂが自動的に塞がれるようにしたので、開口部２１Ａ，  ２１Ｂを塞ぐ面材、および、この面材を取付ける作業が不要になるうえ、配管作業が容易になるので、建物ユニット１，２の製造作業の効率を向上できる。
【００１３】
さらに、パイプシャフト２０の隣にトイレ１０を並べて設け、トイレ１０の出入口を二つの建物ユニット１，２にまたがって設けたので、建物ユニット１，２が形成する居室の内部の壁面には、建物ユニット１，２の接合による継目が生じないので、居室の内部の壁面については、建築現場で継目を覆う仕上げ作業が省略でき、建築現場での仕上げ作業を簡略化できる。
【００１４】
以上、本発明について好適な実施例を挙げて説明したが、本発明は、この実施例に限られるものでなく、本発明の要旨を逸脱しない範囲において種々の改良並びに設計の変更が可能である。
例えば、配管類としては、水道管、ガス管等のパイプに限らず、空調用のダクトや電線等の可撓性を有する線状物でもよい。
【００１５】
また、配管類スペースとしては、建物ユニットを鉛直方向に貫通するパイプシャフトに限らず、図３に示されるように、建物ユニット１Ａ，  ２Ａの天井付近を水平方向に貫通するダクトスペース２２でもよい。このようなダクトスペース２２によれば、建物ユニット１Ａ，  ２Ａの壁面等の垂直面に設けられた給気口２３に接続される空調用のダクト１６を設けるにあたり、当該ダクト１６の取付作業を容易にできる。
【００１６】
【発明の効果】
前述のように本発明によれば、配管作業を容易に行うことができ、建物ユニットの製造作業の効率を向上することができる。
【図面の簡単な説明】
【図１】本発明の一実施例を示す平面図である。
【図２】同実施例の建物ユニットの接合前の平面図である。
【図３】本発明の変形例を示す分解斜視図である。
【符号の説明】
１，２  建物ユニット
１Ａ，  ２Ａ  建物ユニット
１５    配管類
１６    配管類としての空調用ダクト
２０  配管類スペースとしてのパイプシャフト
２２  配管類スペースとしてのダクトスペース
２０Ａ，  ２０Ｂ    凹み部
【図１】
0003568222.tif 000002
【図２】
0003568222.tif 000003
【図３】
0003568222.tif 000004